【手続補正書】
【提出日】平成22年12月21日(2010.12.21)
【手続補正１】
【補正対象書類名】特許請求の範囲
【補正対象項目名】全文
【補正方法】変更
【補正の内容】
【特許請求の範囲】
【請求項１】
セルラ通信システムにおいて第１のサブキャリア間隔及び第２のサブキャリア間隔のどちらが現在使用中であるかを示す方法であって、
現在使用中の前記第１のサブキャリア間隔に応じて、第１のタイプの同期シグナルを生成する工程と、
現在使用中の前記第２のサブキャリア間隔に応じて、第２のタイプの同期シグナルを生成する工程と、
前記第１のタイプの同期シグナル及び前記第２のタイプの同期シグナルのうちの生成されたいずれかを送信する工程と
を備え、
前記第２のタイプの同期シグナルの時間領域表現は前記第１のタイプの同期シグナルの複数のインスタンスを含むことを特徴とする方法。
【請求項２】
前記セルラ通信システムの無線インタフェースは直交周波数分割多重（ＯＦＤＭ）を利用し、
前記第１のタイプの同期シグナルを生成する工程は、同期シンボルの集合Ｓｋ（０≦ｋ≦Ｎ−１）を、前記第１のサブキャリア間隔をそれぞれが有する連続したＮ個のサブキャリアの集合にマッピングする工程を備え、
前記第２のタイプの同期シグナルを生成する工程は、前記同期シンボルの集合Ｓｋを、前記第２のサブキャリア間隔をそれぞれが有するｎ・Ｎ個（ｎ＞１）のサブキャリアの集合に、前記ｎ・Ｎ個のサブキャリアのｎ個ごとのサブキャリアが前記Ｎ個の同期シンボルの一つを伝え、前記ｎ・Ｎ個のサブキャリアの残りのものがゼロ値を伝えるようにマッピングする工程を備える
ことを特徴とする請求項１に記載の方法。
【請求項３】
ｎ＝２であることを特徴とする請求項２に記載の方法。
【請求項４】
前記第２のタイプの同期シグナルの前記時間領域表現は前記第１のタイプの同期シグナルの二つのインスタンスで構成されることを特徴とする請求項１に記載の方法。
【請求項５】
前記第１のサブキャリア間隔は１５ｋＨｚであり、
前記第２のサブキャリア間隔は７．５ｋＨｚである
ことを特徴とする請求項１に記載の方法。
【請求項６】
セルラ通信システムにおいて第１のサブキャリア間隔及び第２のサブキャリア間隔のどちらが現在使用中であるかを検出する方法であって、
同期シグナルを得るために受信シグナルを処理する工程と、
前記同期シグナルの時間領域表現が第１のタイプの同期シグナルのインスタンスを一つだけ備えるかどうかを検出する工程と、
前記同期シグナルの前記時間領域表現が前記第１のタイプの同期シグナルのインスタンスを一つだけ備える場合に、後続する一つ以上の通信動作で前記第１のサブキャリア間隔を利用する工程と、
前記同期シグナルの前記時間領域表現が前記第１のタイプの同期シグナルのインスタンスを二つ以上備える場合に、後続する一つ以上の通信動作で前記第２のサブキャリア間隔を利用する工程と
を備えることを特徴とする方法。
【請求項７】
前記同期シグナルの前記時間領域表現が前記第１のタイプの同期シグナルのインスタンスを一つだけ備えるかどうかを検出する工程は、
前記受信シグナルを前記第１のタイプの同期シグナルで相関をとることによって相関結果を生成する工程と、
前記相関結果が時間について所定量離れた複数の顕著なピークを含むかどうかを検出する工程と
を備えることを特徴とする請求項６に記載の方法。
【請求項８】
前記同期シグナルの前記時間領域表現が前記第１のタイプの同期シグナルのインスタンスを一つだけ備えるかどうかを検出する工程は、
前記受信シグナルを前記受信シグナルの遅延した写しで相関をとることによって相関結果を生成する工程であって、前記受信シグナルの前記遅延した写しを生成するために採用される遅延量は第１のタイプの同期シグナルの時間期間に対応する工程と、
前記相関結果が顕著なピークを含むかどうかを検出する工程と
を備えることを特徴とする請求項６に記載の方法。
【請求項９】
前記第１のサブキャリア間隔は１５ｋＨｚであり、
前記第２のサブキャリア間隔は７．５ｋＨｚである
ことを特徴とする請求項６に記載の方法。
【請求項１０】
セルラ通信システムにおいて第１のサブキャリア間隔及び第２のサブキャリア間隔のどちらが現在使用中であるかを示す装置であって、
第１のタイプの同期シグナルを生成することによって、現在使用中の前記第１のサブキャリア間隔に応答するロジックと、
第２のタイプの同期シグナルを生成することによって、現在使用中の前記第２のサブキャリア間隔に応答するロジックと、
前記第１のタイプの同期シグナル及び前記第２のタイプの同期シグナルのうちの生成されたいずれかを送信するロジックと
を備え、
前記第２のタイプの同期シグナルの時間領域表現は前記第１のタイプの同期シグナルの複数のインスタンスを含むことを特徴とする装置。
【請求項１１】
前記セルラ通信システムの無線インタフェースは直交周波数分割多重（ＯＦＤＭ）を利用し、
前記第１のタイプの同期シグナルを生成するロジックは、同期シンボルの集合Ｓｋ（０≦ｋ≦Ｎ−１）を、前記第１のサブキャリア間隔をそれぞれが有する連続したＮ個のサブキャリアの集合にマッピングするロジックを備え、
前記第２のタイプの同期シグナルを生成するロジックは、前記同期シンボルの集合Ｓｋを、前記第２のサブキャリア間隔をそれぞれが有するｎ・Ｎ個（ｎ＞１）のサブキャリアの集合に、前記ｎ・Ｎ個のサブキャリアのｎ個ごとのサブキャリアが前記Ｎ個の同期シンボルの一つを伝え、前記ｎ・Ｎ個のサブキャリアの残りのものがゼロ値を伝えるようにマッピングするロジックを備える
ことを特徴とする請求項１０に記載の装置。
【請求項１２】
ｎ＝２であることを特徴とする請求項１１に記載の装置。
【請求項１３】
前記第２のタイプの同期シグナルの前記時間領域表現は前記第１のタイプの同期シグナルの二つのインスタンスで構成されることを特徴とする請求項１０に記載の装置。
【請求項１４】
前記第１のサブキャリア間隔は１５ｋＨｚであり、
前記第２のサブキャリア間隔は７．５ｋＨｚである
ことを特徴とする請求項１０に記載の装置。
【請求項１５】
セルラ通信システムにおいて第１のサブキャリア間隔及び第２のサブキャリア間隔のどちらが現在使用中であるかを検出する装置であって、
同期シグナルを得るために受信シグナルを処理するロジックと、
前記同期シグナルの時間領域表現が第１のタイプの同期シグナルのインスタンスを一つだけ備えるかどうかを検出するロジックと、
前記同期シグナルの前記時間領域表現が前記第１のタイプの同期シグナルのインスタンスを一つだけ備える場合に、後続する一つ以上の通信動作で前記第１のサブキャリア間隔を利用するロジックと、
前記同期シグナルの前記時間領域表現が前記第１のタイプの同期シグナルのインスタンスを二つ以上備える場合に、後続する一つ以上の通信動作で前記第２のサブキャリア間隔を利用するロジックと
を備えることを特徴とする装置。
【請求項１６】
前記同期シグナルの前記時間領域表現が前記第１のタイプの同期シグナルのインスタンスを一つだけ備えるかどうかを検出するロジックは、
前記受信シグナルを前記第１のタイプの同期シグナルで相関をとることによって相関結果を生成するロジックと、
前記相関結果が時間について所定量離れた複数の顕著なピークを含むかどうかを検出するロジックと
を備えることを特徴とする請求項１５に記載の装置。
【請求項１７】
前記同期シグナルの前記時間領域表現が前記第１のタイプの同期シグナルのインスタンスを一つだけ備えるかどうかを検出するロジックは、
前記受信シグナルを前記受信シグナルの遅延した写しで相関をとることによって相関結果を生成する工程であって、前記受信シグナルの前記遅延した写しを生成するために採用される遅延量は第１のタイプの同期シグナルの時間期間に対応するロジックと、
前記相関結果が顕著なピークを含むかどうかを検出するロジックと
を備えることを特徴とする請求項１５に記載の装置。
【請求項１８】
前記第１のサブキャリア間隔は１５ｋＨｚであり、
前記第２のサブキャリア間隔は７．５ｋＨｚである
ことを特徴とする請求項１５に記載の装置。
【請求項１９】
セルラ通信システムにおいて第１のサブキャリア間隔及び第２のサブキャリア間隔のどちらが現在使用中であるかを示す方法であって、
現在使用中の前記第１のサブキャリア間隔に応じて、第１のタイプの同期シグナルを生成する工程と、
現在使用中の前記第２のサブキャリア間隔に応じて、第２のタイプの同期シグナルを生成する工程と、
前記第１のタイプの同期シグナル及び前記第２のタイプの同期シグナルのうちの生成されたいずれかを送信する工程と
を備え、
前記第１のタイプの同期シグナルの時間領域表現は基本波形の第１の複数のインスタンスを含んでおり、
前記第２のタイプの同期シグナルの時間領域表現は基本波形の第２の複数のインスタンスを含んでおり、
前記第１の複数のインスタンスの個数は前記第２の複数のインスタンスの個数に等しくない
ことを特徴とする方法。
【請求項２０】
セルラ通信システムにおいて第１のサブキャリア間隔及び第２のサブキャリア間隔のどちらが現在使用中であるかを示す装置であって、
現在使用中の前記第１のサブキャリア間隔に応じて、第１のタイプの同期シグナルを生成するように構成されたロジックと、
現在使用中の前記第２のサブキャリア間隔に応じて、第２のタイプの同期シグナルを生成するように構成されたロジックと、
前記第１のタイプの同期シグナル及び前記第２のタイプの同期シグナルのうちの生成されたいずれかを送信するように構成されたロジックと
を備え、
前記第１のタイプの同期シグナルの時間領域表現は基本波形の第１の複数のインスタンスを含んでおり、
前記第２のタイプの同期シグナルの時間領域表現は基本波形の第２の複数のインスタンスを含んでおり、
前記第１の複数のインスタンスの個数は前記第２の複数のインスタンスの個数に等しくない
ことを特徴とする装置。
【請求項２１】
セルラ通信システムにおいて第１のサブキャリア間隔及び第２のサブキャリア間隔のどちらが現在使用中であるかを検出する方法であって、
同期シグナルを得るために受信シグナルを処理する工程と、
前記同期シグナルの時間領域表現に基本波形のインスタンスが何個含まれるかを検出する工程と、
前記同期シグナルの前記時間領域表現が前記基本波形の第１の複数のインスタンスを備える場合に、後続する一つ以上の通信動作で前記第１のサブキャリア間隔を利用する工程と、
前記同期シグナルの前記時間領域表現が前記基本波形の第２の複数のインスタンスを備える場合に、後続する一つ以上の通信動作で前記第２のサブキャリア間隔を利用する工程と
を備え、
前記第１の複数のインスタンスの個数は前記第２の複数のインスタンスの個数に等しくないことを特徴とする方法。
【請求項２２】
セルラ通信システムにおいて第１のサブキャリア間隔及び第２のサブキャリア間隔のどちらが現在使用中であるかを検出する装置であって、
同期シグナルを得るために受信シグナルを処理するように構成されたロジックと、
前記同期シグナルの時間領域表現に基本波形のインスタンスが何個含まれるかを検出するように構成されたロジックと、
前記同期シグナルの前記時間領域表現が前記基本波形の第１の複数のインスタンスを備える場合に、後続する一つ以上の通信動作で前記第１のサブキャリア間隔を利用するように構成されたロジックと、
前記同期シグナルの前記時間領域表現が前記基本波形の第２の複数のインスタンスを備える場合に、後続する一つ以上の通信動作で前記第２のサブキャリア間隔を利用するように構成されたロジックと
を備え、
前記第１の複数のインスタンスの個数は前記第２の複数のインスタンスの個数に等しくないことを特徴とする装置。